(57)【要約】【課題】壁面緑化を行う場合、壁面（及び斜面及び平面）に施工した乾燥ミズゴケの水分の偏りを解消する手法として、ユニット型植生基盤が開発されている。本基盤は、乾燥ミズゴケの上方と下方の両方向に向かって水を供給させることを特徴とする植生基盤ではあるが、ユニット自体あるいはその内部に骨格体が存在するため柔軟性に欠けている。このため施工枠形状が規格ユニット形状に強く制限されるため、立体的な場所や規格ユニットで充填できない形状をもつ場所に、本基盤を適応することは極めて困難であるという問題が認められる。【解決手段】乾燥ミズゴケを配置する緑化資材基盤のユニット自体あるいはその内部に骨格体構造をもたせず、かつ柔軟性を保持させることを特長とする植生基盤を提供することにより、上記の課題を解決し得ることを見出した。【選択図】図５
2009118836.tif 000002
【特許請求の範囲】
【請求項１】
底部に水を溜めることの可能な骨格部位または枠をもたない袋状の構造体において、この構造体の内部に不定形をとりうる物質で形成された物体を配置し、さらにその物体と袋状の間隙に乾燥ミズゴケを挿入し、かつ外部にも乾燥ミズゴケを固定させることを特徴とする植生基盤。
【請求項２】
前記植生基盤において、袋状の片側にのみ開放口をもつことを特徴とする、請求項１記載の植生基盤。
【請求項３】
前記植生基盤において、袋状部分（以下袋体ともいう）が柔軟性のある薄層材で水溜めすることを特徴とする、請求項２記載の植生基盤。
【請求項４】
前記植生基盤の薄層材内部に、輪郭となる枠または骨格構造体をもたないことを特徴とする、請求項３記載の植生基盤。
【請求項５】
前記植生基盤の薄層材内部に、乾燥ミズゴケを充填し、内部水溜部より上方に開放された領域から外部に固定した乾燥ミズゴケとを接触させ、かつ内側の水溜め部分にある乾燥ミズゴケと、外側に固定された乾燥ミズゴケと（を）接触させることで水を外部に浸潤させ、外部表面に固定された乾燥ミズゴケ層に生きたミズゴケまたは他の植物を重層あるいは接地させた状態で固定させることを特徴とする、請求項１〜４のいずれかに記載の植生基盤。
【請求項６】
前記植生基盤の袋体外部の乾燥ミズゴケ、生きたミズゴケまたは他の植物の重層に、袋体をカバーするネット構造体で固定することを特徴とする請求項１〜５のいずれかに記載の植生基盤。
【請求項７】
前記植生基盤の水溜め材が薄層膜であり、かつ内部構造材が薄層材であった場合、乾燥ミズゴケ、養成植物を小型金属片で容易に基盤に固定できること、および基盤自体を小型金属片で平地および勾配面、壁面の材に柔軟性をもたせ隙間をもたせることなく容易に固定できることを特徴とする請求項１〜６のいずれかに記載の植生基盤。
【請求項８】
請求項１〜６のいずれかに記載の植生基盤において、底部の水溜め領域にある水を、乾燥ミズゴケと接触させることにより、当該水を当該乾燥ミズゴケ全体に浸潤させ、コケ植物または他の植物の養生を行うことを特徴とする、植生基盤の使用方法。
【発明の詳細な説明】
【技術分野】
【０００１】  本発明は、植生基盤、具体的にはコケ植物全般、草本性植物全般、低木性の木本植物全般、および木本性植物の苗の養生を行うことを主要な目的とする植生基盤、及び、その壁面等における使用方法に関する発明である。
【背景技術】
【０００２】  これまでのミズゴケ栽培増殖に関する研究により、絶滅危惧植物である本種を含めその他希少種が安定かつ容易に大量栽培することが可能になった。この発明をもとに、現在、ダムや湖水でのフロー栽培ならびに自然環境に生息する環境修復など屋外条件下を前提としたフィールドだけでなく屋上緑化、さらには壁面緑化におけるミズゴケ、ミズゴケ以外のコケ植物、またはシダ植物を含む維管束植物の生育基盤とし大きく貢献している。
【発明の開示】
【発明が解決しようとする課題】
【０００３】  乾燥ミズゴケを含む壁面基盤において、均一に水を湿潤させるための解消方法として、これまでに２つの水溜場をもつ基盤を１組としたとき、勾配面下方の基盤のみが緑化資材として機能し、上方の基盤を機能させる場合は、さらに別の新たな基盤を積層させなくてはならないという問題点があった。これを克服するために、近年、ユニット単独で、水の供給に偏りをもることなく壁の広平面全体でミズゴケを生育させることが可能な基盤が開発された。しかしながら、この方法は、ユニットとなる基盤自体あるいは基盤内部に骨格構造体をもつため柔軟性に欠ける。したがって、施工すべき枠は、その形状が規格ユニットの形に強く制限されるため、立体的な場所や規格ユニットで充填できない形状をもつ場所にも充填施工させることの可能な技術の提供が待たれている。
【課題を解決するための手段】
【０００４】  本発明者はこの課題の解決に向けて鋭意検討を重ねた。その結果、底部に水を溜めることの可能な骨格部位または枠をもたない袋状の構造体において、この構造体の内部に不定形をとりうる物質で形成された物体を配置し、さらにその物体と袋状の間隙を乾燥ミズゴケで充填し、かつ外部にも乾燥ミズゴケを固定させることを特徴とする植生基盤を提供することにより、上記の課題を解決できる本発明を完成した。【０００５】  すなわち、本発明は、柔軟性のある薄層材で水溜めすることが可能な袋状の片側にのみ開放口をもたせ、この袋上の構造体内部に不定形をとりうる物質で形成された物体を配置させ、かつ間隙部位に乾燥ミズゴケを挿入し、内部水溜部より上方に開放された領域から外部に固定した乾燥ミズゴケとを接触させ、かつ内側の水溜め部分にある乾燥ミズゴケと、外側に固定された乾燥ミズゴケとの接触させることで水を外部に浸潤させることで、片側表面に固定された生きたミズゴケまたはその他植物の養成を行うことを特徴とする植生基盤の使用方法を提供する発明である。【０００６】  なお、「ミズゴケ」とは、特に断らない限り、野生に生えた状態と実質的に同一の状態の生長可能なミズゴケである。また、「乾燥ミズゴケ」とは、前記の生長可能なミズゴケに加熱滅菌処理を施したミズゴケのことを意味し（市販品も可）、さらに、前記の生長ミズゴケを自然乾燥させて得られるミズゴケのことも意味する。いずれにしても、「乾燥ミズゴケ」とは、主に、殺菌死滅処理を加えたミズゴケ（市販品も可）を意味するものであるが、生長ミズゴケ（生命活動が維持されているミズゴケ）を単純に乾燥したものも含むものとし、その製造工程のことを特定する用語であり、それが水を含んでいるか否か、あるいは湿潤であるか否かは問題とならない。【０００７】  また、本発明が適用され得るミズゴケは、コケ植物蘚類  ミズゴケ科  ミズゴケ属（ＳｐｈａｇｎｕｍＬ．）に属する全てを意味し、例えば、日本国原産のものであれば、オオミズゴケ（Ｓｐｈａｇｎｕｍ  ｐａｌｕｓｔｒｅ  Ｌ．）、イボミズゴケ（Ｓｐｈａｇｎｕｍ  ｐａｐｉｌｌｏｓｕｍ  Ｌｉｎｄｂ．）、ムラサキミズゴケ（Ｓｐｈａｇｎｕｍ  ｍａｇｅｌｌａｎｉｃｕｍ  Ｂｒｉｄ．）、キレハミズゴケ（Ｓｐｈａｇｎｕｍ  ａｏｎｇｓｔｒｏｅｍｉｉ  Ｃ．Ｈａｒｔｍ）、キダチミズゴケ（Ｓｐｈａｇｎｕｍ  ｃｏｍｐａｃｔｕｍ  ＤＣ．）、コアナミズゴケ（Ｓｐｈａｇｎｕｍ  ｍｉｃｒｏｐｏｒｕｍ  Ｗａｒｎｓｔ．ｅｘ  Ｃａｒｄ）、コバノミズゴケ（Ｓｐｈａｇｎｕｍ  ｃａｌｙｍｍａｔｏｐｈｙｌｌｕｍ  Ｗａｒｎｅｓｔ．＆  Ｃａｒｄ．）、ユガミミズゴケ（Ｓｐｈａｇｎｕｍ  ｓｕｂｓｅｃｕｎｄｕｍ  Ｎｅｅｓ  ｅｘ  Ｓｔｕｒｍ）、ホソバミズゴケ（Ｓｐｈａｇｎｕｍ  ｇｉｒｇｅｎｓｏｈｎｉｉ  Ｒｕｓｓｏｗ）、チャミズゴケ（Ｓｐｈａｇｎｕｍ  ｆｕｓｃｕｍ（Ｓｃｈｉｍｐ．）Ｈ．Ｋｌｉｎｇｇｒ．）、ヒメミズゴケ（Ｓｐｈａｇｎｕｍ  ｆｉｍｂｒｉａｔｕｍ  Ｗｉｌｓｏｎ  ｅｘ  Ｗｉｌｓｏｎ  ＆  Ｈｏｏｋ．ｆ．）、スギハミズゴケ（Ｓｐｈａｇｎｕｍ  ｃａｐｉｌｌｉｆｏｌｉｕｍ（Ｅｈｒｈ．）Ｈｅｄｗ．）、ホソベリミズゴケ（Ｓｐｈａｇｎｕｍ  ｊｕｎｇｈｕｈｎｉａｎｕｍ  Ｄｏｚｙ  ＆  ���ｏｌｋ．Ｓｕｂｓｐ．Ｐｓｅｕｄｏｍｏｌｌｅ（Ｗａｒｎｅｓｔ．）Ｈ．Ｓｕｚｕｋｉ）、ワタミズゴケ（Ｓｐｈａｇｎｕｍ  ｔｅｎｅｌｌｕｍ  Ｈｏｆｆｍ．）、ハリミズゴケ（Ｓｐｈａｇｎｕｍ  ｃｕｓｐｉｄａｔｕｍ  Ｈｏｆｆｍ．）、アオモリミズゴケ（Ｓｐｈａｇｎｕｍ  ｒｅｃｕｒｖｕｍ  Ｐ．Ｂｅａｕｖ．）、ウロコミズゴケ（Ｓｐｈａｇｎｕｍ  ｓｑｕａｒｒｏｓｕｍ  Ｃｒｏｍｅ）等を挙げることができる。また、日本国以外の地域原産のミズゴケを、本発明に適用することも可能であることは勿論である。【０００８】  これらのミズゴケの中でも、オオミズゴケは、「生長ミズゴケ」としても、「乾燥ミズゴケ」としても、本発明を適用するのに好適なミズゴケの一つである。【０００９】  「薄い層」の素材としては、乾燥ミズゴケまたは生ミズゴケ葉、茎、植物体（株）が挙げられる。【００１０】  本栽培ユニット内に封入されるミズゴケの植物体は、生きたものでも、死んだものでもよく、ミズゴケの茎部、葉部、枝部、又は、これらの部分の複合植物体のいずれであってもよい。さらに、ミズゴケを、湿らせた状態の乾燥ミズゴケと接触させた状態（当該乾燥ミズゴケ上にミズゴケを載置する、差し込む等により、このような状態とすることができる）。【００１１】  設置する際、設置したユニットの下部が底部の役割となり水を溜めることが可能である。【００１２】  本ユニット構造は、大別すると６つのパーツからなる。すなわち（１）水を溜める袋体、（２）袋体内部に配置する不定形をとりうる物体（以下、挿入固形物という）、（３）袋体内部の乾燥ミズゴケ、（４）袋体片外部表面全体または片面に薄層上に存在する乾燥ミズゴケ、（５）外部乾燥ミズゴケの上に重層あるいは接地させる生きた植物（ミズゴケ、およびミズゴケ以外のその他植物）、および（６）これらを固定する網状体（以下ネットともいう）である。【００１３】このユニット構造がもつ、従来と異なる重要な利点は、（１）単独基盤が柔軟であり、圧縮、伸縮、ねじ曲げが可能であるため、施工面の凹凸や形状を無視してユニットを施工範囲に充填できる点、（２）水を溜める袋体、袋体内部に配置する不定形をとりうる物体、袋体内部の乾燥ミズゴケのパーツで製品を部分的に長期保存できる点である。【００１４】  本ユニットの厚さと大きさは特に限定されないが、厚さは０．１ｍｍ〜１００ｍｍ程度で好適範囲は１ｍｍ〜５０ｍｍ、大きさは１０ｍｍ〜３０００ｍｍ程度で好適範囲は１００ｍｍ〜５００ｍｍである。【００１５】  本ユニットの各パーツにおいて、袋体の膜の厚さは特に限定されないが、０．１ｍｍ〜０．６ｍｍ程度、通常は０．２ｍｍ〜０．３ｍｍが好適である。また、その素材は、プラスチック、ゴム、金属等、特に限定されないが、折り曲げが容易で、かつ、経時的な耐久性に優れた素材であることが好適である。このような点から、ビニール、プラスチック（防水ゴム）等の耐錆性に優れたものが、袋体を構成する好適な素材として例示される。【００１６】  本ユニットの各パーツにおいて、挿入固形物の形状は特に限定されないが、球体、扁平球体が好適である。また、直径は特に限定されないが、０．５ｍｍ〜９０ｍｍ程度、通常は１ｍｍ〜５ｍｍが好適である。また、その��材は、発砲スチロール・プラスチック等の石油を原材料とする素材、木材、石材、ゴム、金属等、（土）特に限定されないが、変形またはクラスター（集塊）化が容易で、かつ経時的な素材であることが好適である。このような点から、紙、柔軟性のある低発砲体樹脂または軽量プラスチック等が、挿入固形物を構成する好適な素材として例示される。（一般的には、「ポリプレート（ポリ板）」として知られている、軽量パネル、プラスチック加工等の用途に安価で用いられる素材を加工して本発明に転用することが可能である。）【００１７】  本ユニットの各パーツにおいて、ネットの穴の大きさは特に限定されないが１ｃｍ×１ｃｍ〜５ｃｍ×５ｃｍまたは直径１ｃｍ〜５ｃｍ程度、通常は２ｃｍ×２ｃｍ〜４ｃｍ×４ｃｍまたは直径２ｃｍ〜４ｃｍが好適である。また、ネットを構成する紐の太さは特に限定されないが０．１ｍｍ〜３ｍｍ程度、通常は０．２ｍｍ〜１ｍｍが好適である。その素材は、プラスチック、金属等、またはこれらの組み合わせ素材等であるが、これらに特に限定されるものでない。ネットは構造的に強く、耐久性に優れた素材であることが好適である。このような点から、内部に金属を入れて外部をプラスチック加工したネットや耐久性プラスチックからなるネットが好適な素材として例示される。一般的には、「バードネット」として知られている、鳥の防除等の用途に用いられる素材を本発明に転用することが可能である。（柔軟性のあるネット）【００１８】  本基盤において固定されるコケ植物は特に限定されず、自然界に自生しているコケ植物をそのまま用いることも可能であり、栽培法で得たコケ植物を用いることも可能である。また、いわゆる培養法〔例えば、「植物バイオテクノロジーＩＩ」，東京化学同人：現代化学・増刊２０の第３９頁「蘚苔類の培養」（小野著）等参照のこと〕を用いた「培養ゴケ」を用いることも可能であるが、通常は、栽培法で得たコケ植物を用いることが好ましい。
この栽培されたコケ植物は、通常の栽培法で得たコケ植物を用いることができるが、特に、本発明においては、以下の方法で得られる、コケ植物断片群を用いることが好ましい。
すなわち、生長したコケ植物の群落の頂部近傍を切断し、切断したコケ植物断片を収穫物として用い、切断されたコケ植物の群落の養生を継続して行い、かつ、この養生と収穫のサイクルを繰りかえし行う、コケ植物の栽培方法において得られる、上記コケ植物の断片群を、本発明において用いることができる。
ここで、生長したコケ植物の群落は、天然のコケ植物の群落であっても、通常のパレット栽培で得られるコケ植物の群落であっても、コケ植物を固定した人工基盤を養生して得られるコケ植物の群落であってもよい。コケ植物の群落は、平置きの状態で養生したものであっても、壁面や法面等において養生したものであってもよい。頂部付近の切断を行う時期は、上記の生長したコケ植物におけるコケ植物が、概ね２〜３ｃｍ程度に達した時点が好適である。コケ植物の群落の頂部近傍の切断は、コケ植物の群落の上部（緑が多い部分）を、種々の切断器具、たとえば、ハサミ、バリカン、サンダー等を用いて行うことができる。また、ほうきや刷毛等で、コケ植物の群落の上部をなでつけることによっても、コケ植物の頂部近傍は容易に切断され、所望するコケ植物の断片を得ることができる。【００１９】  上述した切断工程の後、切断して得たコケ植物の断片は、「収穫物」として、本栽培基において載置されるコケ植物として用いることができる。また、切断された後のコケ植物の群落は、養生を継続して行いコケ植物を再び生長させることができる。この再生長させたコケ植物の群落に対して、再び切断工程を行うことで、コケ植物の断片群を再度得ることができる。この養生と収穫のサイクルを繰りかえし行うことにより、効率的にコケ植物を「収穫物」として得ることができる。【００２０】  例えば、Ａｔｒｉｃｈｕｍ  ｕｎｄｕｌａｔｕｍ（Ｈｅｄｗ．）タチゴケ、Ｐ．Ｂｅａｕｖ（Ｎａｍｉｇａｔａ−Ｔａｃｈｉｇｏｋｅ）等のＡｔｒｉｃｈｕｍ  Ｐ．Ｂｅａｕｖ．（Ｔａｃｈｉｇｏｋｅ−ｚｏｋｕ）；Ｐｏｇｏｎａｔｕｍ  ｉｎｆｌｅｘｕｍ（Ｌｉｎｄｂ．）Ｌａｃ．（Ｋｏ−ｓｕｇｉｇｏｋｅ）等のＰｏｇｏｎａｔｕｍ  Ｐ．Ｂｅａｕｖ（Ｎｉｗａ−ｓｕｇｉｇｏｋｅ−ｚｏｋｕ）；Ｐｏｌｙｔｒｉｃｈａｓｔｒｕｍ  ｆｏｒｍｏｓｕｍ（Ｈｅｄｗ．）Ｇ．Ｌ．Ｓｍｉｔｈ等のＰｏｌｙｔｒｉｃｈａｓｔｒｕｍ  Ｇ．Ｌ．Ｓｍｉｔｈ（Ｍｉｙａｍａ−ｓｕｇｉｇｏｋｅ−ｚｏｋｕ）；Ｐｏｌｙｔｒｉｃｈｕｍ  ｃｏｍｍｕｎｅ  Ｈｅｄｗ．（Ｕｍａ−ｓｕｇｉｇｏｋｅ）等のＰｏｌｙｔｒｉｃｈｕｍ  Ｈｅｄｗ．（Ｓｕｇｉｇｏｋｅ−ｚｏｋｕ）；Ｃｅｒａｔｏｄｏｎ  ｐｕｒｐｕｒｅｕｓ（Ｈｅｄｗ．）Ｂｉｒｄ．（Ｙａｎｏｕｅｎｏ−ａｋａｇｏｋｅ）等のＣｅｒａｔｏｄｏｎ  Ｂｉｒｄ．（Ｙａｎｏｕｅｎｏａｋａ−ｇｏｋｅ−ｚｏｋｕ）；Ｄｉｃｒａｎｕｍ  ｊａｐｏｎｉｃｕｍ  Ｍｉｔｔ．（Ｓｈｉｐｐｏｇｏｋｅ）、Ｄｉｃｒａｎｕｍ  ｎｉｐｐｏｎｅｎｓｅ  Ｂｅｓｃｈ（Ｏ−ｓｈｉｐｐｏｇｏｋｅ）、Ｄｉｃｒａｎｕｍ  ｓｃｏｐａｒｉｕｍ  Ｈｅｄｗ．（Ｋａｍｏｊｉｇｏｋｅ）、Ｄｉｃｒａｎｕｍ  ｐｏｌｙｓｅｔｕｍ  Ｓｗ．（Ｎａｍｉ−ｓｈｉｐｐｏｇｋｅ）等のＤｉｃｒａｎｕｍ  Ｈｅｄｗ．（Ｓｈｉｐｐｏｇｏｋｅ−ｚｏｋｕ）；Ｌｅｕｃｏｂｒｙｕｍ  ｓｃａｂｒｕｍ  Ｌａｃ．（Ｏ−ｓｈｉｒａｇａｇｏｋｅ）、Ｌｅｕｃｏｂｒｙｕｍ  ｊｕｎｉｐｅｒｏｉｄｅｕｍ（Ｂｒｉｄ．）Ｃ．Ｍｕｌｌ．（Ｈｏｓｏｂａ−ｏｋｉｎａｇｏｋｅ）等のＬｅｕｃｏｂｒｙｕｍ  Ｈａｍｐｅ（Ｓｈｉｒａｇａｇｏｋｅ−ｚｏｋｕ）；Ｂｒｙｕｍ  ａｒｇｅｎｔｅｕｍ  Ｈｅｄｗ．（Ｇｉｎｇｏｋｅ）等のＢ���ｙｕｍ  Ｈｅｄｗ．（Ｈａｒｉｇａｎｅｇｏｋｅ−ｚｏｋｕ）；Ｒｈｏｄｏｂｒｙｕｍ  ｇｉｇａｎｔｅｕｍ（ｓｃｈｗａｅｇｒ．）Ｐａｒ．（Ｏ−ｋａｓａｇｏｋｅ）等のＲｈｏｄｏｂｒｙｕｍ（Ｓｃｈｉｍｐ．）Ｈａｍｐｅ（Ｋａｓａｇｏｋｅ−ｚｏｋｕ）；Ｐｌａｇｉｏｍｎｉｕｍ  ａｃｕｔｕｍ（Ｌｉｎｄｂ．）Ｔ．Ｋｏｐ．（Ｋｏｔｓｕｂｏｇｏｋｅ）等のＰｌａｇｉｏｍｎｉｕｍ  Ｔ．Ｋｏｐ．（Ｔｓｕｒｕ−ｃｈｏｃｈｉｎｇｏｋｅ−ｚｏｋｕ）；Ｔｒａｃｈｙｃｙｓｔｉｓ  ｍｉｃｒｏｐｈｙｌｌａ（Ｄｏｚｙ  ｅｔ  Ｍｏｌｋ．）Ｌｉｎｄｂ．（Ｋｏｂａｎｏ−ｃｈｏｃｈｉｎｇｏｋｅ）等のＴｒａｃｈｙｃｙｓｔｉｓ  Ｌｉｎｄｂ．（Ｋｏｂａｎｏ−Ｃｈｏｃｈｉｎｇｏｋｅ−ｚｏｋｕ）；Ｐｙｒｒｈｏｂｒｙｕｍ  ｄｏｚｙａｎｕｍ（Ｌａｃ．）Ｍａｎｕｅｌ（Ｈｉｎｏｋｉｇｏｋｅ）等のＰｙｒｒｈｏｂｒｙｕｍ  Ｍｉｔｔ．（Ｈｉｎｏｋｉｇｏｋｅ−ｚｏｋｕ）；Ｂａｒｔｒａｍｉａ  ｐｏｍｉｆｏｒｍｉｓ  Ｈｅｄｗ．（Ｏ−ｔａｍａｇｏｋｅ）等のＢａｒｔｒａｍｉａ  Ｈｅｄｗ．（ｔａｍａｇｏｋｅ−ｚｏｋｕ）；Ｃｌｉｍａｃｉｕｍ  ｄｅｎｄｒｏｉｄｅｓ（Ｈｅｄｗ．）Ｗｅｂ．ｅｔ  Ｍｏｈｒ（Ｆｕｒｏｓｏ）、Ｃｌｉｍａｃｉｕｍ  ｊａｐｏｎｉｃｉｕｍ  Ｌｉｎｄｂ．（Ｋｏｙａｎｏ−ｍａｎｎｅｎｇｕｓａ）等のＣｌｉｍａｃｉｕｍ  Ｗｅｂ．ｅｔ  Ｍｏｈｒ（Ｋｏｙａｎｏ−ｍａｎｎｅｎｇｕｓａ−ｚｏｋｕ）；Ｒａｃｏｍｉｔｒｉｕｍ  ｅｒｉｃｏｉｄｅｓ（Ｗｅｂ．ｅｔ  Ｂｒｉｄ）Ｂｒｉｄ（Ｈａｉ−ｓｕｎａｇｏｋｅ）、Ｒａｃｏｍｉｔｒｉｕｍ  ｊａｐｏｎｉｃｉｕｍ  Ｄｏｚｙ  ｅｔ  Ｍｏｌｋ．（Ｅｚｏ−ｓｕｎａｇｏｋｅ）、Ｒａｃｏｍｉｔｒｉｕｍ  ｃａｎｅｓｃｅｎｓ（Ｈｅｄｗ．）Ｂｒｉｄ．ｓｓｐ．ｌａｔｉｆｏｌｉｕｍ（Ｓｕｎａｇｏｋｅ）、Ｒａｃｏｍｉｔｒｉｕｍ  ｂａｒｂｕｌｏｉｄｅｓ  Ｃａｒｄ．（Ｋｏｂａｎｏｓｕｎａｇｏｋｅ）等のＲａｃｏｍｉｔｒｉｕｍ  Ｂｒｉｄ．（Ｓｈｉｍｏｆｕｒｉｇｏｋｅ−ｚｏｋｕ）；Ｈｙｐｎｕｍ  ｐｌｕｍａｅｆｏｒｍｅ  Ｗｉｌｓ．（Ｈａｉｇｏｋｅ）等のＨｙｐｎｕｍ  Ｈｅｄｗ．，ｎｏｍ．ｃｏｎｓ．（Ｈａｉｇｏｋｅ−ｚｏｋｕ）；Ｔｈｕｉｄｉｕｍ  Ｋａｎｅｄａｅ  Ｓａｋ．（Ｔｏｙａｍａ−ｓｈｉｎｏｂｕｇｏｋｅ）等のＴｈｕｉｄｉｕｍ  Ｂｒｕｃｈ  ｅｔ  Ｓｃｈｉｍｐ．ｉｎ  Ｂ．Ｓ．Ｇ．（Ｓｈｉｎｏｂｕｇｏｋｅ−ｚｏｋｕ）、Ｓｐｈａｇｎｕｍ  Ｌ．等を挙げることができるが、これらに限定されるものではない。【００２１】  これらのコケ植物は、単独種類のコケ植物を用いることは勿論のこと、２種以上を組み合わせて用いることも可能である。特に、強い日照を好むコケ植物（例えば、スナゴケ、ツノゴケ等）と、日陰を好むコケ植物（例えば、ハイゴケ、シッポゴケ、ヒノキゴケ、カサゴケ、トヤマシノブゴケ、チョウチンゴケ類等）を組み合わせて用いることにより、本栽培体が用いられる日照環境に依存せずに、コケ植物の生育を維持することが可能となる。【００２２】「他の植物」としては、いわゆる水生植物（水中〜水周辺を中心に生活する植物の総称）一般を挙げることができる。具体的には、シュロガヤツリ、地性ラン（アツモリソウ、クマガイソウ、ミズトンボ、シュンラ��、トキソウ、カキラン、サギソウ、パフィオペディルム属、フラグミペディウム属、コチョウラン等）、ユキノシタ科に属する植物、アヤメ科に属する植物、モウセンゴケ科に属する植物（モウセンゴケ、コモウセンゴケ、ドロセラファルコネリー、ドロセラペティオラリス、ドロセラアデラエ、アフリカナガバノモウセンゴケ、ドロセラピグミー、イトバモウセンゴケ、ナガバノモウセンゴケ、イシモチソウ、ハエトリソウ、ドロソフィラムルシタニカム、ムジナモ等）、ムシトリスミレ属に属する植物、ビブリス属に属する植物、ウツボカズラ属に属する植物、セファロータス属に属する植物、サラセニア属に属する植物、ダーリングトニア属に属する植物、ホソバノセイタカギク等を例示できる。
【発明の効果】
【００２３】  本発明により、施工面の凹凸や形状を無視してユニットを施工範囲に充填できる点、（２）水を溜める袋体、袋体内部に配置する不定形をとりうる物体、袋体内部の乾燥ミズゴケのパーツで製品を部分的に長期保存できる。【００２４】  以下、本発明について、図面を用いつつ説明する。
図１は、挿入固形物の概略図である。本挿入固形物の形状２は、球状が一般的である。ただし形状は四角柱、円柱、円錐、楕円体、棒状体といった球状以外の形でもよく、特に形状を定めるものではない。穴あきプラボールや散在物（細物）を包み込んで球体状またはそれ以外の形状にする。素材は、球体のような形にまとめられるものならば全て素材として使用できる。用いる素材によって挿入固形物内部の構造を３タイプに大別することが可能である。１つめは、乾燥ミズゴケまたは新聞紙・ネット・包み紙・ダンボール紙等を素材とした場合の構造体１、あるいは土・砂・砂利・わらくず・木材チップ・紙くず・廃棄プラスチック・発砲スチロール・発砲スチロールがら等を素材とした場合の構造体３であり、これらは３タイプの内、平均長０．００１ｍｍ〜３ｃｍ程度の最も細かい物体の集合体である。２つめは、軽石・火山岩・溶岩・ガラス玉・セラミック・陶器がら・コンクリートがら、アスファルトがら等、燃えない素材を用いた場合の構造体４、あるいはスポンジ・紙くず・グラスウール・石綿・砂利・わらくず・木材チップ・廃棄プラスチック・発砲スチロール・発砲スチロールがらなどを素材とした構造体５であり、これらは３タイプの内、平均長０．１ｍｍ〜５ｃｍ程度の中程度の物体の集合体である。３つめは、新聞紙・紙くず・ダンボール紙などの紙材等をまとめて用いることにより得られる挿入固形物６であり、これは３タイプの内、平均長が５ｃｍ〜５ｍ程度を１構成要素とする素材を、単体あるいは複数要素をまとめて集塊状にしたものである。なお複数要素の範囲は２〜１０００要素程度であるが、数を指定するものではない。これら３タイプの素材は、１つの挿入固形物に組合せて用いたり、または混合してもよい。挿入固形物の大きさは、不定形の場合、その最短長と最大長の平均値が０．１ｃｍ〜１ｍの範囲とするが、例えば２５ｃｍ角のビニール袋体の内部に入れる場合、直径３〜１０ｃｍの範囲で伸縮性、弾力性に富む素材がよく、最適の直径は５〜７ｃｍである。これら素材からなる挿入固形物を基盤内に入れることで、基盤を簡単かつ柔軟に曲げることができる。（丸が崩れても挿入後ならば問題ない）【００２５】  図２は、挿入固形物をビニール袋体に梱包したときの断面図である。上部にあるビニール袋体翼部７はビニール袋体開口部８を形成することにより生じる。本図は、特にビニール袋体内部に、ビニール袋体開口部８から球体固形物装填状態９を示したものであるが、この固形物の形状は不定形であり、特に球状であることを限定するものではない。また固形物の個数は３つに限定するものではない。ビニール袋体を水平面に置いた場合、水１１は底部に溜まる。水位線１１は、袋体内部の形状および体積と、その内部に溜められる水の量によって変化するが、この水位の範囲は最低底部から０．１ｍｍ以上、また最大で内部に溜めることが最大限可能な容量で変動し、この範囲で問題なく養成植物（ミズゴケ、コケ植物、シダ植物、種子植物の配偶体、胞子体、または実生、苗および種子）が生育できる条件を満たせる。【００２６】  図３は、挿入固形物をビニール袋体に梱包し、さらに乾燥ミズゴケを挿入したビニール袋体下部基礎盤の断面図である。ビニー��袋体翼部７は乾燥ミズゴケ挿入状態にあるビニール袋体開口部８ａに向かって斜めに形成することにより、雨水、散水水が開口部へ注がれ下部に貯水される。挿入固形体は、基礎盤上部乾燥ミズゴケ１３および基礎盤下部乾燥ミズゴケ１４を挿入した状態で、ビニール袋体の開口部を斜め、横、下にした際に自然離脱しなければ、どのような形状でもかまわない。内部に挿入した乾燥ミズゴケは、基礎盤上部乾燥ミズゴケ１３と基礎盤下部乾燥ミズゴケ１４のミズゴケ水柱を形成する。この水柱構造が水溜め水を水位以上まで引き上げ、ビニール袋体開口部８ａ付近に水を運ぶための機能を果たす。また、上部へ続く乾燥ミズゴケによる水柱の形成が可能であれば、開口部にネット等をあてがってもよい。水抜きの際には、ビニール袋体には穴をあけてよい。この時、基盤を設置する際の側面に相当する位置に穴をあけるのが適切である。【００２７】  図４は、ビニール袋体下部基礎盤をカバーネット袋体内部にセットする場合の断面図である。ビニール袋体底部７ａを上面にし、裏返した（反転あるいはビニール袋体の開口部を下にした）状態の球体固形物２ａは、裏返した（開口部を下にした）状態のビニール袋体８ｂの内部から容易に離脱することはない。よた、裏返した状態（開口部を下にした場合）の基礎盤下部乾燥ミズゴケ（ミズゴケ水柱）１４ａも、球体固形物２ａ同様にビニール袋体の内部から容易に離脱することはない。下部基礎盤は伸縮するので、挿入時圧縮すると、カバーネット袋体翼部１５から、カバーネット袋体に入れることができる。ビニール袋体を挿入する前には、あらかじめ、カバーネット袋体内面底部にまき付け及びセットしたコケ植物・種子またはコケ以外の植物１７を、また、カバーネット袋体内面側部にまき付け及びセットしたコケ植物・種子またはコケ以外の植物１７ｂを設置し、さらに上部充填乾燥ミズゴケ１６を入れておく。上部充填乾燥ミズゴケ１６は、下部からの水分を上面に伝え（上部ミズゴケ水柱）、また雨水等による跳ね上がり等の緩衝材の役目も担う。ビニール袋体の挿入後は圧縮をやめると、カバーネット袋体内部で膨らみネットがもつ内容量と同等の体積になり適合する。また水を入れると、ビニール袋体も膨らみ、これに伴いカバーネットも同様な膨らみを示す。【００２８】  図５は、基盤を完成させた場合の断面図である。本基盤に水が浸入する量の違いで水位線１０は変動する。カバーネット袋体開口部１８およびカバーネット袋体翼部１５の面の反対に上面カバーネット袋体１５ａが位置しており、この上面カバーネット袋体１５ａと側部カバーネット袋体１５ｂの全面あるいは上部に基盤に固定されたコケ植物・種子またはコケ以外の植物１７ａやカバーネット袋体内面側部にまき付け及びセットしたコケ植物・種子またはコケ以外の植物１７ｂが配置される。水は、基盤に固定された乾燥ミズゴケ（ミズゴケ水柱）１４ｂから、基盤に固定された上部充填乾燥ミズゴケ１６ａを通じて養成する植物にいきわたる。【００２９】    図６は、基盤下部を緩衝材に固定させ、かつ養成植物をもつ完成基盤断面図である。図５基盤のカバーネット側部を伸張させ、緩衝材２０を入れることができる。緩衝材２０の素材は、コンクリートパネル・ゴム・プラスチックパネルなどがあるが、板状であり下地を安定させる素材であればよく、特にこれらに限定するものではない。また、カバーネット袋体翼部１５を、カバーネット袋体翼部固定ピン１９（Ｕ字ピンなど）で緊張させながら止めれば、強固に固定された基盤をつくることができる。本基盤の水はビニール袋体の内部にのみ溜まるため、緩衝材に接しているビニール袋体（この図では緩衝材上部）から、ビニール袋体開口部の範囲で水位線１０は変動する。固形物装填状態９において、基礎盤下部乾燥ミズゴケ（ミズゴケ水柱）１４および固形物の位置は、緩衝材の厚さだけ固定面よりも高くなる。上面カバーネット袋体１５ａと側部カバーネット袋体１５ｂの全面あるいは上部に基盤に固定されたコケ植物・種子またはコケ以外の植物１７ａやカバーネット袋体内面側部にまき付け及びセットしたコケ植物・種子またはコケ以外の植物１７ｂが配置される。水は、基盤に固定された乾燥ミズゴケ（ミズゴケ水柱）１４ｂから、基盤に固定された上部充填乾燥ミズゴケ１６ａを通じて養成する植物にいきわたる。【００３０】  図７は、養成植物もつ完成した基盤の姿図である。固形物装填状態９にあるビニール袋体７はカバーネット袋体内部に配置されており、また、カバーネット袋体翼部１５の面の反対に上面カバーネット袋体１５ａが位置しており、この上面カバーネット袋体１５ａと側部の全面または上部（本姿図ではは側面は上部のみ）に固定されたコケ植物・種子またはコケ以外の植物１７ａやカバーネット袋体内面側部にまき付け及びセットしたコケ植物・種子またはコケ以外の植物が配置される。水は、基盤に固定された乾燥ミズゴケ（ミズゴケ水柱）１４ｂから、基盤に固定された上部充填乾燥ミズゴケ１６ａを通じて養成する植物にいきわたる。【００３１】  図８は、カバーネット袋体の立体概略図である。本構造体は、袋状であり、上面カバーネット袋体１５ａの反対面に、カバーネット袋体翼部１５と下面カバーネット開口部２１をもつ。【００３２】  図９は、ビニール袋体の姿図である。本構造体は袋上であり、ビニール袋体側部２１は上部と下部と明瞭な区別をもたない。ビニール袋体翼部７とビニール袋体上部開口部２２は同一面上にある。
【図面の簡単な説明】
【図１】ビニール袋体に挿入する挿入固形物の断面図である。
【図２】図１の挿入固形物をビニール袋体に梱包したときの断面図である。
【図３】挿入固形物をビニール袋体に梱包し、さらに乾燥ミズゴケを挿入したビニール袋体下部基礎盤の断面図である。
【図４】図３のビニール袋体下部基礎盤をカバーネット袋体内部にセットする場合の断面図である。
【図５】基盤を完成させた場合の断面図である。
【図６】基盤下部を緩衝材に固定させ、かつ養成植物をもつ完成基盤断面図である。
【図７】養成植物もつ基盤の姿図である。
【図８】カバーネット袋体の立体概略図である。
【図９】ビニール袋体の姿図である。
【図１】
2009118836.tif 000003
【図２】
2009118836.tif 000004
【図３】
2009118836.tif 000005
【図４】
2009118836.tif 000006
【図５】
2009118836.tif 000007
【図６】
2009118836.tif 000008
【図７】
2009118836.tif 000009
【図８】
2009118836.tif 000010
【図９】
2009118836.tif 000011